(57)【要約】【課題】複数の部屋の空気状態を個別に精度よく調整する。【解決手段】空調システム１は、空調装置２と、風路切替部３ａ〜３ｃを備える。空調装置２は、リターン空気を吸い込み、吸い込んだリターン空気を空調し、空調後の空気を第１供給口から供給する第１空気供給手段と、リターン空気を吸い込み、吸い込んだリターン空気を第２供給口から供給する第２空気供給手段を備える。各風路切替部３は、部屋Ａ〜Ｃの各々に対応して設けられ、空調装置２から対応する部屋へ空気を供給するための風路を、第１供給口から当該部屋へ至る第１風路と、第２供給口から当該部屋へ至る第２風路の何れかに切り替える。【選択図】図１
2019070473.tif 000002
【特許請求の範囲】
【請求項１】
建物内の特定エリアの空気を吸い込み、吸い込んだ空気を空調し、空調後の空気を第１供給口から供給する第１空気供給手段と、
前記特定エリアの空気を吸い込み、吸い込んだ空気を第２供給口から供給する第２空気供給手段と、を備える空調装置と、
前記建物内の複数の部屋の各々に対応して設けられ、前記空調装置から対応する部屋へ空気を供給するための風路を、前記第１供給口から当該部屋へ至る第１風路と、前記第２供給口から当該部屋へ至る第２風路の何れかに切り替える風路切替手段と、を備える、空調システム。
【請求項２】
前記空調装置は、前記複数の部屋の各々の空調負荷に基づいて、各部屋に対応する前記風路切替手段を制御する切替制御手段をさらに備える、請求項１に記載の空調システム。
【請求項３】
前記複数の部屋の各々の空調負荷に基づいて、前記空調装置と、各部屋に対応する前記風路切替手段を制御する制御装置をさらに備える、請求項１に記載の空調システム。
【請求項４】
前記空調装置の前記第１供給口には、第１ダクトが連結され、
前記空調装置の前記第２供給口には、第２ダクトが連結され、
前記第１風路は、前記第１ダクトと、一端が前記風路切替手段に連結され、他端が前記風路切替手段に対応する部屋に設けられた空気の吹出口に連結される第３ダクトにより構成され、
前記第２風路は、前記２ダクトと、前記第３ダクトにより構成される、請求項１から３の何れか１項に記載の空調システム。
【請求項５】
前記特定エリアの空気を屋外に排出すると共に、屋外の空気を取り込んで前記特定エリアに供給する換気装置をさらに備える、請求項１から４の何れか１項に記載の空調システム。
【請求項６】
前記特定エリアの空気は、前記空調装置から供給され、前記複数の部屋の少なくとも１つを経由して前記特定エリアに戻ってきた空気である、請求項１から５の何れか１項に記載の空調システム。
【請求項７】
建物内の特定エリアの空気を吸い込み、吸い込んだ空気を空調し、空調後の空気を第１供給口から供給する第１空気供給手段と、
前記特定エリアの空気を吸い込み、吸い込んだ空気を第２供給口から供給する第２空気供給手段と、
前記建物内の複数の部屋の各々に対応して設けられ、対応する部屋へ空気を供給するための風路を、前記第１供給口から当該部屋へ至る第１風路と、前記第２供給口から当該部屋へ至る第２風路の何れかに切り替える風路切替手段を制御する切替制御手段と、を備える、空調装置。
【請求項８】
建物内の特定エリアの空気を吸い込み、吸い込んだ空気を空調し、空調後の空気を第１供給口から供給する第１空気供給手段と、
前記特定エリアの空気を吸い込み、吸い込んだ空気を第２供給口から供給する第２空気供給手段と、を備える空調装置と、
前記建物内の複数の部屋の各々に対応して設けられ、前記空調装置から対応する部屋へ空気を供給するための風路を、前記第１供給口から当該部屋へ至る第１風路と、前記第２供給口から当該部屋へ至る第２風路の何れかに切り替える風路切替手段と、を前記複数の部屋の各々の空調負荷に基づいて制御する制御手段を備える、制御装置。
【請求項９】
空調装置が、
建物内の特定エリアの空気を吸い込み、吸い込んだ空気を空調し、空調後の空気を第１供給口から供給し、
前記特定エリアの空気を吸い込み、吸い込んだ空気を第２供給口から供給し、
前記建物内の複数の部屋の各々に対応して設けられた風路切替手段が、前記空調装置から対応する部屋へ空気を供給するための風路を、前記第１供給口から当該部屋へ至る第１風路と、前記第２供給口から当該部屋へ至る第２風路の何れかに切り替える、空調方法。
【発明の詳細な説明】
【技術分野】
【０００１】
本発明は、空調システム、空調装置、制御装置及び空調方法に関する。
【背景技術】
【０００２】
近年、住宅の高断熱化、高気密化が進み、空調に要するエネルギーが減少傾向にあり、居住環境に対して、より快適に、そして、健康的に生活するための要望が高まっている。このような要望に応えるため、２４時間連続で住宅内全体を自動的に空調する、いわゆる全館空調システムと呼ばれる空調システムが採用されるケースが増えている。
【０００３】
上記の空調システムでは、１台の室内機により空調した空気を、間仕切された各部屋にダクトを介して等分に分配する方式が一般的に知られている。しかし、このような方式であると、部屋毎の個別の空調ができないという問題がある。
【０００４】
このような問題に対し、各部屋に供給する空気の風量を個別に調整する構成を備え、部屋毎の個別の空調を実現するシステムが提案されている（例えば、特許文献１）。
【先行技術文献】
【特許文献】
【０００５】
【特許文献１】特開平９−７９６４８号公報
【発明の概要】
【発明が解決しようとする課題】
【０００６】
しかし、各部屋に供給される空気の風量の調整が可能であっても、室内機より供給される空気の温度が共通であるため、例えば、ある部屋では暖房負荷が生じており、他の部屋では冷房負荷が生じている場合等、相反する空調負荷が混在する場合は、各部屋を個別に精度よく空調することは困難である。
【０００７】
本発明は、上記課題を解決するためになされたものであり、１台の空調装置で複数の部屋を空調するシステムにおいて、相反する空調負荷が混在する場合であっても、各部屋を個別に精度よく空調することが可能な空調システム等を提供することを目的とする。
【課題を解決するための手段】
【０００８】
上記目的を達成するため、本発明に係る空調システムは、
建物内の特定エリアの空気を吸い込み、吸い込んだ空気を空調し、空調後の空気を第１供給口から供給する第１空気供給手段と、
前記特定エリアの空気を吸い込み、吸い込んだ空気を第２供給口から供給する第２空気供給手段と、を備える空調装置と、
前記建物内の複数の部屋の各々に対応して設けられ、前記空調装置から対応する部屋へ空気を供給するための風路を、前記第１供給口から当該部屋へ至る第１風路と、前記第２供給口から当該部屋へ至る第２風路の何れかに切り替える風路切替手段と、を備える。
【発明の効果】
【０００９】
本発明によれば、相反する空調負荷が混在する場合であっても、各部屋を個別に精度よく空調することができる。
【図面の簡単な説明】
【００１０】
【図１】本発明の実施の形態に係る空調システムの構成を示す図
【図２】本実施の形態に係る空調装置の構成を示すブロック図
【図３】本実施の形態に係る空調装置が備える制御基板の構成を示すブロック図
【図４】本実施の形態に係る空調装置が備える制御基板の機能構成を示す図
【図５】本実施の形態における空調制御処理の手順を示すフローチャート
【図６】本発明の他の実施の形態に係る空調システムについて説明するための図
【発明を実施するための形態】
【００１１】
以下、本発明の実施の形態について図面を参照して詳細に説明する。
【００１２】
図１は、本発明の実施の形態に係る空調システム１の全体構成を示す図である。空調システム１は、一戸建て住宅、集合住宅、オフィスビル等の建物における複数の部屋の空調を１台の空調装置２によって実現する、いわゆる全館空調システムである。図１に示すように、空調システム１は、空調装置２と、風路切替部３ａ〜３ｃと、温度センサ４ａ〜４ｃと、リモコン５ａ〜５ｃと、ダクトＤ１，Ｄ２，Ｄ３ａ〜Ｄ３ｃとを備える。本実施の形態では、空調システム１は、一戸建て住宅（以下、単に住宅という。）に設置されているものとする。
【００１３】
空調装置２は、本発明に係る空調装置の一例であり、本実施の形態では、図示しない熱源装置と水配管を介して接続される、いわゆるファンコイルユニットと呼ばれる室内機である。熱源装置は、圧縮機、四方弁、冷媒と水との間の熱交換を行う熱交換器、膨張弁、外気と冷媒との間の熱交換を行う熱交換器、外気を取り込む送風機、各構成部を制御する制御基板等を備え、温調した冷水又は温水を空調装置２に供給する。本実施の形態の熱源装置は、夏期（即ち、冷房時）においては７℃程度に温度調整された冷水を空調装置２に供給し、冬期（即ち、暖房時）においては４５℃程度に温度調整した温水を空調装置２に供給する。
【００１４】
空調装置２は、当該住宅の廊下等のデッドスペースあるいは天井裏等に設置され、図２に示すように、第１送風機２０と、熱交換器２１と、第２送風機２２と、制御基板２３とを備える。
【００１５】
第１送風機２０は、当該住宅を循環して戻ってきた空気（以下、リターン空気という。）を吸込口２４から吸い込み、吸い込んだ空気を熱交換器２１に供給する。熱交換器２１は、熱源装置から供給された冷水又は温水と、第１送風機２０により吸い込まれたリターン空気との間の熱交換を行う。第１送風機２０は、熱交換器２１により熱交換された空気、即ち、空調後の空気を供給口２５から外部へ送り出す。第１送風機２０及び熱交換器２１は、本発明に係る第１空気供給手段の一例であり、供給口２５は、本発明に係る第１供給口の一例である。図１に示すように、供給口２５には、ダクトＤ１が連結されているため、第１送風機２０によって送り出された空調後の空気は、ダクトＤ１に供給されることになる。ダクトＤ１の詳細については後述する。
【００１６】
第２送風機２２は、本発明に係る第２空気供給手段の一例である。第２送風機２２は、上記のリターン空気を吸込口２４から吸い込み、吸い込んだ空気を供給口２６から外部へ送り出す。供給口２６は、本発明に係る第２供給口の一例である。図１に示すように、供給口２６には、ダクトＤ２が連結されているため、第２送風機２２によって送り出されたリターン空気は、ダクトＤ２に供給されることになる。ダクトＤ２の詳細については後述する。
【００１７】
制御基板２３は、図３に示すように、ＣＰＵ（Central Processing Unit）２３０と、通信インタフェース２３１と、ＲＯＭ（Read Only Memory）２３２と、ＲＡＭ（Random Access Memory）２３３と、二次記憶装置２３４とを備える。これらの構成部は、バス２３５を介して相互に接続される。
【００１８】
ＣＰＵ２３０は、空調システム１を統括的に制御する。ＣＰＵ２３０によって実現される機能の詳細については後述する。通信インタフェース２３１は、熱源装置の制御基板、風路切替部３ａ〜３ｃ、温度センサ４ａ〜４ｃ、リモコン５ａ〜５ｃと無線通信又は有線通信するための１又は複数のＮＩＣ（Network Interface Card controller）を備える。
【００１９】
ＲＯＭ２３２は、複数のファームウェアと、これらのファームウェアの実行時に使用されるデータを記憶する。ＲＡＭ２３３は、ＣＰＵ２３０の作業領域として使用される。二次記憶装置２３４は、ＥＥＰＲＯＭ（Electrically Erasable Programmable Read-Only Memory）、フラッシュメモリ等の読み書き可能な不揮発性の半導体メモリ等で構成される。二次記憶装置２３４は、空調制御に関するプログラム（以下、空調制御プログラムという。）を含む各種のプログラムと、これらのプログラムの実行時に使用されるデータを記憶する。
【００２０】
図１に戻り、風路切替部３ａ〜３ｃの各々は、本発明に係る風路切替手段の一例であり、部屋Ａ〜Ｃに対応して設けられ、対応する部屋へ供給する空気の風路を、空調装置２の供給口２５から当該対応する部屋へ至る第１風路と、供給口２６から当該対応する部屋へ至る第２風路の何れかに切り替える。各風路切替部３は、通信インタフェースを備え、空調装置２と有線又は無線にて通信可能に接続される。本実施の形態では、各風路切替部３は、電動式の空気弁であり、その開度は、制御基板２３からの指令（制御データ）に従って調整される。
【００２１】
詳細には、風路切替部３ａ〜３ｃの各々は、部屋Ａ〜Ｃの天井裏に設置され、ダクトＤ１，Ｄ２と連結される。ダクトＤ１は、本発明に係る第１ダクトの一例である。ダクトＤ１は、３つに枝分かれしており、風路切替部３ａ〜３ｃの各々は、異なる枝分かれ箇所でダクトＤ１と連結される。ダクトＤ２は、本発明に係る第２ダクトの一例である。ダクトＤ２は、ダクトＤ１と同様、３つに枝分かれしており、風路切替部３ａ〜３ｃの各々は、異なる枝分かれ箇所でダクトＤ２と連結される。また、風路切替部３ａ〜３ｃの各々は、ダクトＤ３ａ〜Ｄ３ｃの各々の一端と連結されている。ダクトＤ３ａ〜Ｄ３ｃの各々は、本発明に係る第３ダクトの一例である。
【００２２】
ダクトＤ３ａは、ダクトＤ１，Ｄ２の何れかを介して空調装置２から供給される空気を部屋Ａの上方部分へ導くためのダクトである。ダクトＤ３ａの他端、即ち、空気搬送方向の端部は、部屋Ａの天井面に設けられた吹出口６ａに連結されており、空調装置２から供給された空気は、この吹出口６ａから部屋Ａへ吹き出される。
【００２３】
風路切替部３ａは、制御基板２３からの制御データに従って、ダクトＤ１，Ｄ２の何れか一方が、ダクトＤ３ａと接続されるように、即ち、空調装置２からダクトＤ１，Ｄ２の何れか一方を介して搬送された空気がダクトＤ３ａに供給されるように動作する。本実施の形態では、風路切替部３ａが全開状態の場合に、ダクトＤ１とダクトＤ３ａとが接続され、風路切替部３ａが全閉状態の場合に、ダクトＤ２とダクトＤ３ａとが接続される。
【００２４】
ダクトＤ３ｂは、ダクトＤ１，Ｄ２の何れかを介して空調装置２から供給される空気を部屋Ｂの上方部分へ導くためのダクトである。ダクトＤ３ｂの他端、即ち、空気搬送方向の端部は、部屋Ｂの天井面に設けられた吹出口６ｂに連結されており、空調装置２から供給された空気は、この吹出口６ｂから部屋Ｂへ吹き出される。
【００２５】
風路切替部３ｂは、制御基板２３からの制御データに従って、ダクトＤ１，Ｄ２の何れか一方が、ダクトＤ３ｂと接続されるように、即ち、空調装置２からダクトＤ１，Ｄ２の何れか一方を介して搬送された空気がダクトＤ３ｂに供給されるように動作する。本実施の形態では、風路切替部３ｂが全開状態の場合に、ダクトＤ１とダクトＤ３ｂとが接続され、風路切替部３ｂが全閉状態の場合に、ダクトＤ２とダクトＤ３ｂとが接続される。
【００２６】
ダクトＤ３ｃは、ダクトＤ１，Ｄ２の何れかを介して空調装置２から供給される空気を部屋Ｃの上方部分へ導くためのダクトである。ダクトＤ３ｃの他端、即ち、空気搬送方向の端部は、部屋Ｃの天井面に設けられた吹出口６ｃに連結されており、空調装置２から供給された空気は、この吹出口６ｃから部屋Ｃへ吹き出される。
【００２７】
風路切替部３ｃは、制御基板２３からの制御データに従って、ダクトＤ１，Ｄ２の何れか一方が、ダクトＤ３ｃと接続されるように、即ち、空調装置２からダクトＤ１，Ｄ２の何れか一方を介して搬送された空気がダクトＤ３ｃに供給されるように動作する。本実施の形態では、風路切替部３ｃが全開状態の場合に、ダクトＤ１とダクトＤ３ｃとが接続され、風路切替部３ｃが全閉状態の場合に、ダクトＤ２とダクトＤ３ｃとが接続される。
【００２８】
温度センサ４ａ〜４ｃの各々は、部屋Ａ〜Ｃの天井あるいは壁に設置され、各部屋の空気温度を計測する。各温度センサ４は、通信インタフェースを備え、空調装置２と有線又は無線にて通信可能に接続される。各温度センサ４は、計測した空気温度の値が含まれるデータ（以下、温度データという。）を定期的（例えば、１分毎）に空調装置２に送信する。
【００２９】
リモコン５ａ〜５ｃの各々は、部屋Ａ〜Ｃの入口付近の壁に埋設して設置されたり、あるいは壁に掛けられた態様で設置され、部屋Ａ〜Ｃを利用するユーザから、空調に係る操作を個別に受け付けるためのリモートコントローラである。各リモコン５は、通信インタフェースを備え、空調装置２と有線又は無線にて通信可能に接続される。各リモコン５は、対応する部屋を利用するユーザから、空調に係る操作（例えば、目標室温の変更）を受け付けると、受け付けた操作の内容が含まれるデータ（以下、操作データという。）を空調装置２に送信する。操作データには、例えば、設定変更された目標室温の値が含まれる。ユーザは、このように、各部屋のリモコン５を操作することで、当該部屋の空気状態が当該ユーザにとって快適となるような空調を空調装置２に実行させることができる。
【００３０】
続いて、空調装置２の制御基板２３の機能の詳細について説明する。制御基板２３は、機能的には、図４に示すように、室温取得部２００と、リモコン操作取得部２０１と、風量決定部２０２と、風路決定部２０３とを備える。これらの各機能部は、ＣＰＵ２３０が、二次記憶装置２３４に記憶される前述した空調制御プログラムを実行することで実現される。
【００３１】
室温取得部２００は、温度センサ４ａ〜４ｄの各々から定期的（例えば、１分毎）に送られてくる温度データを受信し、受信した各温度データに含まれる空気温度の値を取得する。室温取得部２００は、取得した各部屋の空気温度の値を室温テーブルに格納する。室温テーブルは、部屋を識別する情報と、空気温度（即ち、室温）の値が対応付けて格納されるデータテーブルであり、二次記憶装置２３４に記憶されている。
【００３２】
リモコン操作取得部２０１は、リモコン５ａ〜５ｃの何れかから上述した操作データが送られてくると、これを受信し、受信した操作データに含まれる操作の内容（例えば、目標室温の値）を取得する。リモコン操作取得部２０１は、取得した操作の内容をユーザ操作テーブルに格納する。ユーザ操作テーブルは、部屋を識別する情報と、ユーザの操作内容（例えば、設定変更された目標室温の値）が対応付けて格納されるデータテーブルであり、二次記憶装置２３４に記憶されている。
【００３３】
風量決定部２０２は、現在の運転モードと、各部屋の室温と、各部屋の目標室温に基づいて、第１送風機２０が供給すべき空気の風量と、第２送風機２２が供給すべき空気の風量を決定する。換言すると、風量決定部２０２は、各部屋の冷房負荷又は暖房負荷の大きさに応じて、第１送風機２０及び第２送風機２２の各々が供給すべき空気の風量を決定する。運転モードには、暖房モードと冷房モードの２つのモードがあり、制御基板２３は、夏期の場合、運転モードを冷房モードに自動的に設定し、冬期の場合、運転モードを暖房モードに自動的に設定する。あるいは、ユーザにより、リモコン５ａ〜５ｃの少なくとも１台が操作されることで、運転モードが冷房モード又は暖房モードに設定される仕様であってもよい。
【００３４】
風量決定部２０２は、第１送風機２０が供給すべき空気の風量を決定すると、決定した風量に相当する回転数で第１送風機２０を駆動させる。同様に、風量決定部２０２は、第２送風機２２が供給すべき空気の風量を決定すると、決定した風量に相当する回転数で第２送風機２２を駆動させる。なお、要求される風量が０（ｍ３/min）の場合又は予め定めた下限値より小さい場合、風量決定部２０２は、対応する第１送風機２０又は第２送風機２２を駆動させない。つまり、駆動中ならば停止させ、停止中ならばそのままの状態にしておく。
【００３５】
風路決定部２０３は、本発明に係る切替制御手段の一例である。風路決定部２０３は、現在の運転モードと、各部屋の室温と、各部屋の目標室温に基づいて、各部屋に供給する空気の風路を、空調装置２の供給口２５から当該部屋へ至る第１風路と、供給口２６から当該部屋へ至る第２風路の何れかにするかを決定する。換言すると、風路決定部２０３は、各部屋において、現在の運転モードに対応する空調負荷が生じているか否かによって各部屋に対応する空気の風路を第１風路と第２風路の何れかに決定する。
【００３６】
つまり、風路決定部２０３により、各部屋に供給する空気は、空調（即ち、温調）された空気又はリターン空気の何れかに決定される。風路決定部２０３は、ある部屋に対応する風路を第１風路に決定した場合、当該部屋に対応する風路切替部３に対して、第１風路への切り替えを指示し、第２風路に決定した場合、当該風路切替部３に対して、第２風路への切り替えを指示する。本実施の形態では、風路切替部３に対して、第１風路への切り替えを指示する場合、全開を指示する制御データを送信し、第２風路への切り替えを指示する場合、全閉を指示する制御データを送信する。なお、決定した風路が現在の風路と同じである部屋については、当該部屋に対応する風路切替部３に対して、制御データを送信しなくてもよい。
【００３７】
次に、以上のように構成された空調システム１による空調を具体的な状況を想定して説明する。本例では、冬期の早朝において、各部屋の現在の室温が１５℃、各部屋の目標室温が２０℃であるとする。
【００３８】
上記の状況の場合、熱源装置からは、４５℃程度の温水が空調装置２に供給され、また、部屋Ａ〜Ｃの室温が、何れも目標室温に達していないため、部屋Ａ〜Ｃの全てに温調した空気（例えば、４０℃程度の高温空気）が供給される。この場合、第１送風機２０のみが駆動し、第２送風機２２は停止している。
【００３９】
各部屋に供給された高温空気は、各部屋の暖房負荷を減少させ、およそ２０℃のリターン空気となり、図１の破線で示されるリターン風路を経て、空調装置２の設置場所へと戻る。このリターン風路は、例えば、この住宅における各部屋のドアのアンダーカット及び／又はガラリを通過し、廊下、ホール等を経由して空調装置２に戻る空気の経路を示す。
【００４０】
このような空調を継続したまま、時間が経過すると、南側に大きな窓Ｗを有する部屋Ａが日射の影響を受け、室温が２０℃を超えてしまう。すると、空調装置２は、風路切替部３ａに全閉を指示する制御データを送信する。これにより、部屋Ａに供給される空気の風路が、空調装置２の供給口２５から部屋Ａへ至る第１風路から、供給口２６から部屋Ａへ至る第２風路に切り替えられる。ただし、空調装置２は、当初は、第２送風機２２を稼働させず、停止状態のままであるため、部屋Ａには、空調された空気及びリターン空気の何れも供給されない。
【００４１】
さらに時間が経過し、部屋Ａの日射量が増加すると、空調された空気、即ち、高温空気の供給を停止していても、部屋Ａの室温は２０℃を大きく超えてしまい、部屋Ａにおいては冷房負荷が発生する状況となる。冷房負荷が発生すると、空調装置２は、第２送風機２２を稼働させる。具体的には、部屋Ａの室温が、部屋Ａの目標室温に予め定めた温度を加算した温度を超えると、空調装置２は、第２送風機２２を稼働させる。これにより、部屋Ａには、２０℃程度のリターン空気が供給され、冷房負荷は減少する。この場合、空調装置２の風量決定部２０２は、第２送風機２２が供給すべき空気の風量を部屋Ａの冷房負荷の大きさに基づいて決定する。
【００４２】
また、第２送風機２２の稼働により、部屋Ａから２０℃より高温となった空気がリターン風路に入り込むようになり、その結果、空調装置２が吸い込むリターン空気の温度が上昇する。そうすると、部屋Ｂ，Ｃの空調に要する高温空気を生成するための熱源装置からの温水の供給量、詳細には、熱源装置と空調装置２との間を循環させる温水の量を減らすことができ、熱源装置のＣＯＰ（Coefficient Of Performance）が上昇する。その結果、熱源装置の消費電力の低減化が図れる。
【００４３】
つまり、部屋Ａの日射量を暖房負荷が生じている部屋Ｂ，Ｃの空調に利用することができるので、当該住宅の各部屋を効率的に空調することができる。
【００４４】
図５は、空調装置２の制御基板２３によって実行される空調制御処理の手順を示すフローチャートである。この空調制御処理は、定期的（例えば、１分毎）に繰り返し実行される。なお、空調制御処理は、このような定期的な実行に加えて、ユーザによりリモコン５を介して目標室温等の設定が変更された場合には、直ちに実行されるようにしてもよい。
【００４５】
ステップＳ１０１では、風量決定部２０２は、各部屋の空調負荷（即ち、冷房負荷又は暖房負荷）の大きさに基づいて、第１送風機２０及び第２送風機２２の各々が供給すべき空気の風量を決定する。
【００４６】
ステップＳ１０２では、風量決定部２０２は、決定した各風量に基づいて、第１送風機２０及び第２送風機２２の各々を駆動させる。詳細には、風量決定部２０２は、第１送風機２０が供給すべき風量に相当する回転数で第１送風機２０を駆動させる。また、風量決定部２０２は、第２送風機２２が供給すべき風量に相当する回転数で第２送風機２２を駆動させる。なお、上述したように、第１送風機２０又は第２送風機２２が供給すべき風量が０（ｍ３/min）の場合又は予め定めた下限値より小さい場合、風量決定部２０２は、第１送風機２０又は第２送風機２２を駆動させない。つまり、駆動中ならば停止させ、停止中ならばそのままの状態にしておく。
【００４７】
ステップＳ１０３では、風路決定部２０３は、各部屋の空調負荷に基づいて、各部屋に対応する空気の風路を第１風路と第２風路の何れかに決定する。ステップＳ１０４では、風路決定部２０３は、各風路切替部３に対して、決定した風路への切り替えを指示する。なお、決定した風路が現在の風路と同じである部屋については、当該部屋に対応する風路切替部３に対して、風路の切り替えを指示しなくてもよい。即ち、この場合、風路決定部２０３は、当該風路切替部３に対して制御データを送信しなくてもよい。
【００４８】
以上説明したように、本発明の実施形態に係る空調システム１によれば、建物における複数の部屋の空調を１台の空調装置２で実現することができる。また、空調装置２は、吸い込んだリターン空気を空調し、空調後の空気を第１供給口２５から供給可能な構成と、吸い込んだリターン空気を空調せずに第２供給口２６から供給可能な構成を備えており、ダクトＤ１，Ｄ２，Ｄ３ａ〜Ｄ３ｃによって、部屋毎に、空調後の空気を供給するための第１風路と、リターン空気を供給するための第２風路が構築されている。そして、各部屋に対応して設けられた風路切替部３によって、部屋毎に、当該部屋の空調負荷に基づいて、第１風路と第２風路とを適宜切り替えることができる。
【００４９】
このため、各部屋について、室温及び／又は目標室温が異なる等、空調負荷の大きさが異なる場合であっても、各部屋をユーザが所望する適切な室温に精度よく調整することが可能である。また、例えば、冬期において、一部の部屋で冷房負荷が発生する等、相反する空調負荷が混在する場合であっても、各部屋の空調を適切に行うことができる。
【００５０】
さらに、上記のように、相反する空調負荷が混在する場合、一方の空調負荷を他方の空調負荷を減少させるための空調エネルギーとして回収できるため、熱源装置における運転時の省エネルギー化が図れる。
【００５１】
なお、本発明は、上記の実施の形態に限定されず、本発明の要旨を逸脱しない範囲での種々の変更は勿論可能である。
【００５２】
例えば、図６に示すように、空調システム１の構成に換気装置７を追加してもよい。この換気装置７は、建物内の空気を吸い込んで、屋外に排出する送風機７０と、送風機７０によって屋外に排出された空気量と同量の外気を吸い込み、屋内に供給する送風機７１を備える。また、換気装置７は、送風機７０及び送風機７１の駆動を制御する図示しない制御基板を備え、かかる制御基板は、空調装置２の制御基板２３と通信可能に接続される。
【００５３】
上記の構成において、空調装置２の制御基板２３は、部屋Ａ〜Ｃの全てにおいて、空調負荷が発生していない場合、換気装置７に換気動作を指示する。これにより、リターン空気が屋外に排出され、排出されたリターン空気の量と同量の外気が屋内に取り込まれる。また、空調装置２は、第１送風機２０を駆動させずに、第２送風機２２を駆動させると共に、各風路切替部３に対して、第２風路への切り替えを指示する。これにより、各部屋に新鮮な空気が供給される。
【００５４】
このように、図６に示す他の実施の形態の空調システム１によれば、屋内の空気と外気の入れ換えを空調装置２に近い一の箇所で行うだけで、各部屋の換気を行うことができる。したがって、換気設備の導入コストを抑えることができる。
【００５５】
上記の実施の形態では、空調装置２が備える制御基板２３によって、図５に示すような空調制御処理が実行されたが、制御基板２３が有する機能（図４参照）と同等の機能を有する制御手段を備える、空調装置２とは別体の制御装置によって、空調制御処理が実行されるようにしてもよい。
【００５６】
また、上記の実施の形態では、空調制御２の制御基板２３において、ＣＰＵ２３０によって二次記憶装置２３４に記憶されている空調制御プログラムが実行されることで、制御基板２３の各機能部（図４参照）が実現された。
【００５７】
しかし、制御基板２３の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。
【００５８】
また、上記の空調制御プログラムは、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。
【００５９】
そして、空調装置２とは別体の制御装置によって空調制御処理を実行する構成を採用する場合では、上記のように配布した空調制御プログラムを特定の又は汎用のコンピュータにインストールすることによって、当該コンピュータを制御装置として機能させることも可能である。また、空調制御プログラムをインターネット上の他のサーバが有するディスク装置等に格納しておき、当該サーバから制御装置に空調制御プログラムがダウンロードされるようにしてもよい。
【符号の説明】
【００６０】
１  空調システム、２  空調装置、３ａ〜３ｃ  風路切替部、４ａ〜４ｃ  温度センサ、５ａ〜５ｃ  リモコン、６ａ〜６ｃ  吹出口、７  換気装置、Ｄ１，Ｄ２，Ｄ３ａ〜Ｄ３ｃ  ダクト、２０  第１送風機、２１  熱交換器、２２  第２送風機、２３  制御基板、２４  吸込口、２５，２６  供給口、７０，７１  送風機、２００  室温取得部、２０１  リモコン操作取得部、２０２  風量決定部、２０３  風路決定部、２３０  ＣＰＵ、２３１  通信インタフェース、２３２  ＲＯＭ、２３３  ＲＡＭ、２３４  二次記憶装置、２３５  バス
【図１】
2019070473.tif 000003
【図２】
2019070473.tif 000004
【図３】
2019070473.tif 000005
【図４】
2019070473.tif 000006
【図５】
2019070473.tif 000007
【図６】
2019070473.tif 000008